(57)【要約】      （修正有）【課題】ボタンと隙間との発光の光度の差異によりボタンの位置を便利に区別できる発光機能付きキーボードを提供する。【解決手段】キーボード部と発光部を含む。キーボード部は、基板と、基板の上方に配置される複数列のボタンキャップと、ボタンキャップと基板とを連結する複数の連動機構が設けられ、連動機構によりボタンキャップが基板に対して上下動可能であり、隣接列のボタンキャップ同士の間に第１隙間が形成され、各列の隣接するボタンキャップ同士の間に第２隙間が形成される。発光部は、ボタンキャップと基板との間に設けられ、第１隙間に対応する複数の第１発光段が設けられ、第２隙間に対応する複数の第２発光段が設けられ、第２発光段の両端は第２発光段に隣接する二つの第１発光段とそれぞれ連結する。【選択図】図３
0003167043.tif 000002
【実用新案登録請求の範囲】
【請求項１】
基板（１１）と、前記基板（１１）の上方に配置される複数列のボタンキャップ（１４）と、を備え、前記ボタンキャップ（１４）と前記基板（１１）との間には、前記ボタンキャップ（１４）と前記基板（１１）とを連結する複数の連動機構（１３）が設けられ、前記連動機構（１３）により前記ボタンキャップ（１４）が前記基板（１１）に対して上下動可能であり、隣接列の前記ボタンキャップ（１４）同士の間に第１隙間（１５）が形成され、各列の隣接する前記ボタンキャップ（１４）同士の間に第２隙間（１６）が形成されるキーボード部（１０）と、
これらの前記ボタンキャップ（１４）と前記基板（１１）との間に設けられ、前記第１隙間（１５）に対応する複数の第１発光段（２２）が設けられ、前記第２隙間（１６）に対応する複数の第２発光段（２３）が設けられ、前記第２発光段（２３）の両端は前記第２発光段（２３）に隣接する二つの前記第１発光段（２２）とそれぞれ連結する発光部（２０）と、
を含むことを特徴とする発光機能付きキーボード。
【請求項２】
前記第１発光段（２２）には、透光区域（２２１）と、非透光区域（２２２）と、が設けられ、前記第２発光段（２３）には、透光区域（２３１）と、非透光区域（２３２）と、が設けられることを特徴とする、請求項１に記載の発光機能付きキーボード。
【請求項３】
前記透光区域（２２１）は前記第１隙間（１５）の下方の位置に対応し、前記第１隙間（１５）に前記第１発光段（２２）からの光線が投射され、され前記透光区域（２３１）は前記第２隙間（１６）の位置に対応し、前記第２隙間（１６）に前記第２発光段（２３）からの光線が投射されることを特徴とする、請求項２に記載の発光機能付きキーボード。
【請求項４】
前記透光区域（２２１）、（２３１）は前記ボタンキャップ（１４）の位置に対応し、前記ボタンキャップ（１４）に前記第１発光段（２２）と前記第２発光段（２３）とからの光線が投射されることを特徴とする、請求項２に記載の発光機能付きキーボード。
【請求項５】
前記連動機構（１３）は、前記ボタンキャップ（１４）と前記基板（１１）とに連接する自在具（１３１）と、前記ボタンキャップ（１４）を支持し前記ボタンキャップ（１４）の回復力を提供する弾性体（１３２）と、を含むことを特徴とする、請求項１に記載の発光機能付きキーボード。
【請求項６】
前記キーボード部（１０）は、更に、前記ボタンキャップ（１４）の上下動によって触発されて指令信号を発生する回路板（１２）を含むことを特徴とする、請求項１に記載の発光機能付きキーボード。
【請求項７】
前記回路板（１２）は前記基板（１１）と前記発光部（２０）との間に設けられることを特徴とする、請求項６に記載の発光機能付きキーボード。
【請求項８】
前記発光部（２０）は、導光体（２１）と、光源を提供する外部光源（２５）と、を含むことを特徴とする、請求項１に記載の発光機能付きキーボード。
【請求項９】
前記外部光源（２５）は発光ダイオードであることを特徴とする、請求項８に記載の発光機能付きキーボード。
【請求項１０】
前記第１発光段（２２）は前記第２発光段（２３）と一体成形されることを特徴とする、請求項１に記載の発光機能付きキーボード。
【請求項１１】
前記第１発光段（２２）と前記第２発光段（２３）とから、前記ボタンキャップ（１４）に対応する貫通孔（２４）が形成されることを特徴とする、請求項１に記載の発光機能付きキーボード。
【考案の詳細な説明】
【技術分野】
【０００１】
本考案は、発光機能付きキーボードに関し、特に、ボタンと隙間との発光の光度の異なりによりボタンの位置を便利に区別できる発光機能付きキーボードに関するものである。
【背景技術】
【０００２】
情報技術の発展に従って、コンピュータは国民の生活に不可欠なものになり、各産業はコンピュータを利用して作業を補助する。デスクトップコンピュータ或いはノートブックコンピュータは、使用する場所及びタイミングが極めて広範であるが、暗い環境において利用する場合には、光量が不足するため、キーボードを正確に入力することができない。このような問題を解決するために、例えば、特許文献１の米国特許第６１７９４３２号、特許文献２の米国特許第６１９９９９６号、特許文献３の米国特許第６２８４９８８号、特許文献４の米国特許第６３２２２２９号及び特許文献５の米国特許第６５５４４４２号の「発光機能付きキーボード」が提案された。これらの発光機能付きキーボードは、キーボードの内部に発光シートを設けて、前記発光シートからの光線がボタンキャップに投射されるため、暗い環境においても、キーボードを正確に入力することができる。
【０００３】
しかしながら、前記発光機能付きキーボードは、発光子とボタンキャップとの間には、弾性体と連動機構とだけが設けられる。前記発光機能付きキーボードの多くは、ボタンキャップ、弾性体と連動機構が透光材料で作製され（前記発光機能付きキーボードの一部は、ボタンキャップが非透光材料で作製されるが、ボタンキャップにあるキャラクターなどが透光材料で作製される）、発光シートの全面から光線を放射するときには、キーボードが均一な背光状態となる。発光機能付きキーボードは、暗い環境、例えば飛行機や自動車の内部など、において利用することが多いが、発光機能付きキーボードからの光線が強いため、周囲の人に迷惑を掛ける可能性がある。また、暗い環境において、ユーザはボタンキャップにあるキャラクターなどを識別する能力が低下し、キーボードの全面が発光する場合には、ユーザはボタンキャップにあるキャラクターなどを識別することが更に困難である。また、ボタンキャップにあるキャラクターなどが非透光材料で作製され、或いはボタンキャップが非透光材料で作製されボタンキャップにあるキャラクターなどが透光材料で作製されても、隣接するボタンキャップ同士の間の隙間から漏れる光線により、ユーザはボタンキャップにあるキャラクターなどを識別することが困難である。そうすると、ユーザはキーボードを正確に入力することができない。
【先行技術文献】
【特許文献】
【０００４】
【特許文献１】米国特許第６１７９４３２号公報
【特許文献２】米国特許第６１９９９９６号公報
【特許文献３】米国特許第６２８４９８８号公報
【特許文献４】米国特許第６３２２２２９号公報
【特許文献５】米国特許第６５５４４４２号公報
【考案の概要】
【考案が解決しようとする課題】
【０００５】
本考案の主な目的は、ボタンと隙間との発光の光度の差異により、ボタンの位置を容易に区別できる発光機能付きキーボードを提供することにある。
【課題を解決するための手段】
【０００６】
本考案の発光機能付きキーボードによると、基板１１と、前記基板１１の上方に配置される複数列のボタンキャップ１４と、を備え、前記ボタンキャップ１４と前記基板１１との間には、前記ボタンキャップ１４と前記基板１１とを連結する複数の連動機構１３が設けられ、前記連動機構１３により前記ボタンキャップ１４が前記基板１１に対して上下動可能であり、隣接列の前記ボタンキャップ１４同士の間に第１隙間１５が形成され、各列の隣接する前記ボタンキャップ１４同士の間に第２隙間１６が形成されるキーボード部１０と、これらの前記ボタンキャップ１４と前記基板１１との間に設けられ、前記第１隙間１５に対応する複数の第１発光段２２が設けられ、前記第２隙間１６に対応する複数の第２発光段２３が設けられ、前記第２発光段２３の両端は前記第２発光段２３に隣接する二つの前記第１発光段２２とそれぞれ連結する発光部２０と、を含むことを特徴とする。
【０００７】
本考案の発光機能付きキーボードによると、前記第１発光段２２には、透光区域２２１と、非透光区域２２２と、が設けられ、前記第２発光段２３には、透光区域２３１と、非透光区域２３２と、が設けられることを特徴とする。
【０００８】
本考案の発光機能付きキーボードによると、前記透光区域（２２１）は前記第１隙間（１５）の下方の位置に対応し、前記第１隙間（１５）に前記第１発光段（２２）からの光線が投射され、前記透光区域（２３１）は前記第２隙間（１６）の下方の位置に対応し、前記第２隙間（１６）に前記第２発光段（２３）からの光線が投射されることを特徴とする。
【０００９】
本考案の発光機能付きキーボードによると、前記透光区域２２１、２３１は前記ボタンキャップ１４の位置に対応し、前記ボタンキャップ１４に前記第１発光段２２と前記第２発光段２３とからの光線が投射されることを特徴とする。
【００１０】
本考案の発光機能付きキーボードによると、前記連動機構１３は、前記ボタンキャップ１４と前記基板１１とに連接する自在具１３１と、前記ボタンキャップ１４を支持し前記ボタンキャップ１４の回復力を提供する弾性体１３２と、を含むことを特徴とする。
【００１１】
本考案の発光機能付きキーボードによると、前記キーボード部１０は、更に、前記ボタンキャップ１４の上下動によって触発されて指令信号を発生する回路板１２を含むことを特徴とする。
【００１２】
本考案の発光機能付きキーボードによると、前記回路板１２は前記基板１１と前記発光部２０との間に設けられることを特徴とする。
【００１３】
本考案の発光機能付きキーボードによると、前記発光部２０は、導光体２１と、光源を提供する外部光源２５と、を含むことを特徴とする。
【００１４】
本考案の発光機能付きキーボードによると、前記外部光源２５は発光ダイオードであることを特徴とする。
【００１５】
本考案の発光機能付きキーボードによると、前記第１発光段２２は前記第２発光段２３と一体成形されることを特徴とする。
【００１６】
本考案の発光機能付きキーボードによると、前記第１発光段２２と前記第２発光段２３とから、前記ボタンキャップ１４に対応する貫通孔２４が形成されることを特徴とする。
【考案の効果】
【００１７】
本考案の発光機能付きキーボードによれば、ボタンと隙間との発光の光度の差異により、ボタンの位置を容易に区別できるという効果を有する。
【図面の簡単な説明】
【００１８】
【図１】本考案のボタンキャップの平面図である。
【図２】本考案の発光部の平面図である。
【図３】本考案の構造を示す分解斜視図である。
【図４】本考案の第１実施例の図１をＡ方向から見た断面図（その１）である。
【図５】本考案の第１実施例の図１をＢ方向から見た断面図（その２）である。
【図６】本考案の第２実施例の図１をＡ方向から見た断面図（その１）である。
【図７】本考案の第２実施例の図１をＢ方向から見た断面図（その２）である。
【考案を実施するための最良の形態】
【００１９】
以下、本考案の実施の形態を図面に基づいて説明する。
まず、図１、図２及び図３を参照する。図１は、本考案のボタンキャップの平面図、図２は、本考案の発光部の平面図、図３は、本考案の構造を示す分解斜視図である。本考案の発光機能付きキーボードは、キーボード部１０と、キーボード部１０に設けられる発光部２０と、を含む。キーボード部１０は、基板１１と、基板１１に設けられる複数列のボタンキャップ１４と、を備える。隣接列のボタンキャップ１４同士の間に第１隙間１５が形成され、各列の隣接するボタンキャップ１４同士の間に第２隙間１６が形成される。ボタンキャップ１４と基板１１との間に複数の連動機構１３が設けられる。連動機構１３は、ボタンキャップ１４と基板１１とに連接する自在具１３１と、ボタンキャップ１４を支持しボタンキャップ１４の回復力を提供する弾性体１３２と、を含む。連動機構１３により、ボタンキャップ１４は基板１１に対して上下動可能である。キーボード部１０は、更に、基板１１に設けられる回路板１２を含む。回路板１２は、これらのボタンキャップ１４と基板１１との間に位置し、ボタンキャップ１４が上下動するときに、弾性体１３２に接触されて指令信号を発生する。
【００２０】
本考案の発光部２０は、これらのボタンキャップ１４と基板１１との間に設けられ、回路板１２の上に位置し、これにより、回路板１２が基板１１と発光部２０との間に介装される。発光部２０は、導光体２１（例えば導光板）を含み、第１隙間１５に応じて複数の第１発光段２２が設けられ、第２隙間１６に応じて複数の第２発光段２３が設けられ、第２発光段２３の両端は第２発光段２３に隣接する二つの第１発光段２２とそれぞれ連結する。第１発光段２２と第２発光段２３とは一体成形され、ボタンキャップ１４に対応する貫通孔２４が形成される。
【００２１】
図４及び図５を参照する。図４は、本考案の第１実施例の図１をＡ方向から見た断面図（その１）、図５は、本考案の第１実施例の図１をＢ方向から見た断面図（その２）である。発光部２０は、外部光源２５を含む。外部光源２５は発光ダイオードでもよい。第１発光段２２には、透光区域２２１と、非透光区域２２２と、が設けられ、第２発光段２３には、透光区域２３１と、非透光区域２３２と、が設けられる。本実施例では、透光区域２２１が第１隙間１５の下方の位置に対応し、非透光区域２２２がボタンキャップ１４の下方の位置に対応し、透光区域２３１が第２隙間１６の下方の位置に対応し、非透光区域２３２がボタンキャップ１４の下方の位置に対応する。これにより、外部光源２５からの光線が第１発光段２２と第２発光段２３とに入射するときには、第１発光段２２の透光区域２２１により光線が第１隙間１５に投射され、第２発光段２３の透光区域２３１により光線が第２隙間１６に投射される。そうすると、第１隙間１５と第２隙間１６との光度が増加し、すなわち、ボタンキャップ１４の周囲にある第１隙間１５と第２隙間１６との光度がボタンキャップ１４の光度よりも高いため、ユーザは各ボタンキャップ１４の位置を容易に識別することができる。
【００２２】
本考案は、第１隙間１５と第２隙間１６との光度を増加することによりボタンキャップ１４の位置の識別を容易にする他、ボタンキャップ１４の光度を増加することにより同じ効果を達成することもできる。図６及び図７を参照する。図６は、本考案の第２実施例の図１をＡ方向から見た断面図（その１）、図７は、本考案の第２実施例の図１をＢ方向から見た断面図（その２）である。第２実施例の第１実施例と相違する点は、第１発光段２２の透光区域２２１がボタンキャップ１４の下方の位置に対応し、第１発光段２２の非透光区域２２２が第１隙間１５の下方の位置に対応し、第２発光段２３の透光区域２３１もボタンキャップ１４の下方の位置に対応し、第２発光段２３の非透光区域２３２が第２隙間１６の下方の位置に対応することにある。外部光源２５からの光線は、非透光区域２２２により第１隙間１５に入射できず、透光区域２２１によりボタンキャップ１４に投射することができ、非透光区域２３２により第２隙間１６に入射できず、透光区域２３１によりボタンキャップ１４に投射することができる。そうすると、ボタンキャップ１４の光度は第１隙間１５と第２隙間１６との光度よりも高いため、ユーザは各ボタンキャップ１４の位置を容易に識別できる。
【００２３】
なお、本考案は前記実施の形態に限定されるものではなく、本考案の趣旨に基づいて種々変形させることが可能であり、それらを本考案の実用新案登録請求の範囲から排除するものではない。
【産業上の利用可能性】
【００２４】
本考案は、キーボードに適用することができる。
【符号の説明】
【００２５】
１０    キーボード部
１１    基板
１２    回路板
１３    連動機構
１４    ボタンキャップ
１５    第１隙間
１６    第２隙間
２０    発光部
２１    導光体
２２    第１発光段
２３    第２発光段
２４    貫通孔
２５    外部光源
１３１  自在具
１３２  弾性体
２２１、２３１  透光区域
２２２、２３２  非透光区域
【図１】
0003167043.tif 000003
【図２】
0003167043.tif 000004
【図３】
0003167043.tif 000005
【図４】
0003167043.tif 000006
【図５】
0003167043.tif 000007
【図６】
0003167043.tif 000008
【図７】
0003167043.tif 000009